(57)【要約】【課題】枠体のスリム形状化を実現しながら、筐体に対し枠体を広げて自立させた状態で安定させる。【解決手段】一側面にピン部品７を備える筐体１・２と、そのピン部品７が係合する凹部６ａを備え、筐体１・２を部分的に覆い、且つ筐体１に回転可能に結合される枠体３と、から構成される筐体構造であって、ピン部品７は、筐体２の当該ピン部品７を備える端面から第１の突出長突出し、ピン部品７が凹部６ａに係合することにより、筐体２と枠体３が固定状態に保持される。そして、筐体２は、ピン部品７を備える端面の当該ピン部品７の両側に位置し、且つ当該筐体の前記ピン部品を備える端面に対して第２の突出長突出する突出部９を備える。従って、筐体１・２と枠体３が開かれた状態で、枠体３と、筐体２のピン部品７を備える端面側が、平面上に接する様に設置した際、枠体３と、筐体２のピン部品７の両側の突出部９とが、平面上に接触して自立状態になる。【選択図】図４
2017097037.tif 000002
【特許請求の範囲】
【請求項１】
一側面にピン部品を備える筐体と、
前記ピン部品が係合する凹部を備え、前記筐体を部分的に覆い、且つ前記筐体に回転可能に結合される枠体と、から構成される筐体構造であって、
前記ピン部品は、前記筐体の当該ピン部品を備える端面から第１の突出長突出し、
前記ピン部品が前記凹部に係合することにより、当該筐体と前記枠体が固定状態に保持され、
前記筐体は、前記ピン部品を備える端面の当該ピン部品の両側に位置し、且つ当該筐体の前記ピン部品を備える端面に対して第２の突出長突出する突出部を備えることを特徴とする筐体構造。
【請求項２】
前記ピン部品は、前記筐体の当該ピン部品を備える端面から突出する方向に、付勢部品で付勢され、当該付勢部品による付勢により前記筐体の当該ピン部品を備える端面に対して前記第１の突出長突出していることを特徴とする請求項１に記載の筐体構造。
【請求項３】
前記ピン部品は、前記筐体の当該ピン部品を備える端面の中央に備えられていることを特徴とする請求項１または２に記載の筐体構造。
【請求項４】
前記第２の突出長は前記第１の突出長よりも長く、
前記筐体と前記枠体が開かれた状態で、前記枠体と、前記筐体の前記ピン部品を備える端面側が、当該筐体外部の平面上に接する様に設置した際、前記枠体と、前記筐体の前記ピン部品の両側の前記突出部とが、前記平面上に接触して自立状態になることを特徴とする請求項１から３のいずれか一項に記載の筐体構造。
【請求項５】
前記第２の突出長と前記第１の突出長は同一の長さであり、
前記筐体と前記枠体が開かれた状態で、前記枠体と、前記筐体の前記ピン部品を備える端面側が、当該筐体外部の平面上に接する様に設置した際、前記枠体と、前記ピン部品と、前記筐体の前記ピン部品の両側の前記突出部とが、前記平面上に接触して自立状態になることを特徴とする請求項１から３のいずれか一項に記載の筐体構造。
【請求項６】
前記付勢部品はバネであり、
前記第１の突出長は前記第２の突出長よりも長く、
前記筐体と前記枠体が開かれた状態で、前記枠体と、前記筐体の前記ピン部品を備える端面側が、当該筐体外部の平面上に接する様に設置した際、前記ピン部品は、前記バネによる付勢に抗って前記筐体の内部方向に移動し、前記第１の突出長は前記第２の突出長と同一の長さとなり、前記枠体と、前記ピン部品と、前記筐体の前記ピン部品の両側の前記突出部とが、前記平面上に接触して自立状態になることを特徴とする請求項１から３のいずれか一項に記載の筐体構造。
【請求項７】
前記筐体は、第１のブロックと第２のブロックを備え、
前記第２のブロックは、前記第１のブロックに回転可能に結合され、
前記枠体は、前記第１のブロック及び前記第２のブロックを部分的に覆い、且つ前記第１のブロックに回転可能に結合されることを特徴とする請求項１から６のいずれか一項に記載の筐体構造。
【請求項８】
前記第１のブロックは撮像部を備え、
前記第２のブロックは表示部を備えることを特徴とする請求項７に記載の筐体構造。
【請求項９】
請求項１から６に記載の筐体構造を備えることを特徴とする電子機器。
【請求項１０】
請求項８に記載の筐体構造を備えることを特徴とする撮像装置。
【発明の詳細な説明】
【技術分野】
【０００１】
本発明は、筐体を部分的に覆う回転可能な枠体を備える筐体構造と、その筐体構造を備える電子機器と、撮像装置に関する。
【背景技術】
【０００２】
カメラの筐体を囲むグリップフレームが当該カメラの筐体にヒンジ軸で取り付けられているカメラがある（特許文献１参照）。
そして、特許文献１のカメラでは、グリップフレームにロックピンがバネで押し出される方向に付勢して実装され、グリップフレームを回転させた際に、カメラの筐体に設けられた凹部にロックピンが係合することで、グリップフレームとカメラの筐体を固定状態に保持する。
【先行技術文献】
【特許文献】
【０００３】
【特許文献１】特開２０１２−１３３０６１号公報
【発明の概要】
【発明が解決しようとする課題】
【０００４】
しかし、特許文献１のグリップフレームは、ロックピンを実装していたため、デザインの制約が大きく、スリムな形状を実現できなかった。
そこで、グリップフレームをスリム化すると、ロックピンを実装する余裕がないため、ロックピンをカメラの筐体に実装する必要がある。
ところが、ロックピンをカメラの筐体に実装すると、カメラの筐体の一側面にロックピンが突出状態になって、例えばカメラの筐体に対しグリップフレームを広げて自立させようとした際に、カメラの筐体はロックピンの一点で設置面と接触することから、ガタガタと傾いたり、不安定性になるという問題が生じる。
【０００５】
本発明の課題は、枠体のスリム形状化を実現しながら、筐体に対し枠体を広げて自立させた状態で安定させることである。
【課題を解決するための手段】
【０００６】
以上の課題を解決するため、本発明は、
一側面にピン部品を備える筐体と、
前記ピン部品が係合する凹部を備え、前記筐体を部分的に覆い、且つ前記筐体に回転可能に結合される枠体と、から構成される筐体構造であって、
前記ピン部品は、前記筐体の当該ピン部品を備える端面から第１の突出長突出し、
前記ピン部品が前記凹部に係合することにより、当該筐体と前記枠体が固定状態に保持され、
前記筐体は、前記ピン部品を備える端面の当該ピン部品の両側に位置し、且つ当該筐体の前記ピン部品を備える端面に対して第２の突出長突出する突出部を備えることを特徴とする。
【発明の効果】
【０００７】
本発明によれば、枠体のスリム形状化を実現しながら、筐体に対し枠体を広げて自立させた状態で安定させることができる。
【図面の簡単な説明】
【０００８】
【図１】本発明を適用した電子機器の一実施形態の構成を示すもので、カメラの正面図（ａ）と、その筐体と枠体を開いて置いた状態の斜視図（ｂ）である。
【図２】図１（ａ）の矢印ＩＩ−ＩＩ線に沿った断面図で、レンズ部筐体に対し表示部筐体を１８０度回転させた状態の図である。
【図３】図２の筐体及び枠体の左側部分の拡大図（ａ）と、その表示部筐体を１８０度回転させた状態の図（ｂ）である。
【図４】図１（ｂ）の筐体と枠体を開いて置いた状態の側面図（ａ）と、その表示部側から見た図（ｂ）である。
【図５】図４（ｂ）の筐体下部側の拡大図である。
【発明を実施するための形態】
【０００９】
以下、図を参照して本発明を実施するための形態を詳細に説明する。
（実施形態）
図１及び図２は本発明を適用した電子機器の一実施形態の構成としてカメラを示すもので、１はレンズブロック（筐体）、２は表示ブロック（筐体）、３はグリップフレーム、４は撮影レンズ、５は表示部、６は固定部品、７はロックピン（ピン部品）、８はバネ（付勢部品）、９は突出部、１１は第１ヒンジ軸、１２は第２ヒンジ軸である。
【００１０】
図示のように、カメラは、筐体をなすレンズブロック１及び表示ブロック２を囲む形状の枠体であるグリップフレーム３を備える。
すなわち、撮影レンズ４を中央に有するレンズブロック１に対して、モニタ部をなす表示部５を一面に有する表示ブロック２が、第１ヒンジ軸１１で結合されて、その第１ヒンジ軸１１を中心に回転可能となっている。
また、レンズブロック１に対して、グリップフレーム３が、第１ヒンジ軸１１と直交する第２ヒンジ軸１２で結合されて、その第２ヒンジ軸１２を中心に回転可能となっている。
【００１１】
以上の筐体構造により、図１（ａ）及び図２に示すように、レンズブロック１及び表示ブロック２の周囲にグリップフレーム３を位置させて揃えた状態から、図１（ｂ）に示すように、レンズブロック１に対し第２ヒンジ軸１２を中心にグリップフレーム３を回転させたり、図２に示すように、レンズブロック１に対し第１ヒンジ軸１１を中心に表示ブロック２を回転させたりした状態が得られる。
【００１２】
そして、グリップフレーム３のレンズブロック１と反対側の端部内面に、その内面形状に沿って略三角形状の固定部品６が固定されている。
この固定部品６は、表示ブロック２のレンズブロック１と反対側の端面に対向する直線状の端面が形成されており、その端面の中央に凹部６ａが形成されている。
【００１３】
また、表示ブロック２のレンズブロック１と反対側の端面内部には、図２に示すように、ロックピン７がコイル状のバネ８の付勢で押されて、ロックピン７を備える端面に対して第１の突出長突出するように実装されている。
従って、レンズブロック１及び表示ブロック２に対しグリップフレーム３が開いた状態（図１（ｂ）参照）からレンズブロック１及び表示ブロック２の周囲にグリップフレーム３を位置させて揃えた状態（図１（ａ）及び図２参照）にする際に、ロックピン７がバネ８の付勢により突出して固定部品６の端面から凹部６ａに係合することで、表示ブロック２とグリップフレーム３が固定状態にロックされる。
【００１４】
なお、ロック状態からレンズブロック１及び表示ブロック２に対しグリップフレーム３を開く際に、ロックピン７がバネ８の付勢に抗して凹部６ａから固定部品６端面に乗り上がることで、ロック状態が解除される。
【００１５】
図３（ａ）は図２の表示ブロック２及びグリップフレーム３の左側部分を拡大したもので、図３（ｂ）は表示ブロック２を１８０度回転させた状態を示している。
【００１６】
図示のように、表示ブロック２の表示部５が逆になっても、表示ブロック２とグリップフレーム３をロック状態に保持する必要があり、そのために、第１ヒンジ軸１１の中心延長線ｃ上にロックピン７を実装させている。
【００１７】
図４（ａ）は図１（ｂ）のレンズブロック１及び表示ブロック２とグリップフレーム３を開いて置いた状態の側面図で、図４（ｂ）はその表示部５側から見た図である。
【００１８】
図示のように、表示ブロック２の中央にロックピン７を備える端面の両側には、一対の突出部９が設けられている。図示例では、表示ブロック２端面の両側の斜面形状に沿って突出部９が設けられている。
この表示ブロック２端面のロックピン７の両側の突出部９により、レンズブロック１及び表示ブロック２とグリップフレーム３を広げて自立させ、表示部５を撮影者側に向ける撮影スタイルにした際も、表示ブロック２及びグリップフレーム３の下端部で安定した自立状態を得ることができる。
【００１９】
すなわち、図５は図４（ｂ）の表示ブロック２の下部側を拡大したもので、図示のように、ロックピン７の両側の突出部９が、ロックピン７より更に突出して＋α長い第２の突出長になっている。
従って、そのロックピン７両側の突出部９による二点が設置面Ｌに対して触れるため、表示ブロック２及びグリップフレーム３の下端部で安定した自立状態を得ることができる。
【００２０】
このように、表示ブロック２に、グリップフレーム３の凹部６ａに係合するロックピン７及びバネ８と、そのロックピン７より僅かに突出する両側の突出部９を備えることで、グリップフレーム３のスリム形状化を実現することができる。
【００２１】
以上、実施形態のカメラによれば、ロックピン７がバネ８で付勢されて表示ブロック２の端面から突出して凹部６ａに係合することにより、表示ブロック２とグリップフレーム３が固定状態に保持され、表示ブロック２の端面のロックピン７の両側に位置してロックピン７より更に突出する突出部９によって、グリップフレーム３のスリム形状化を実現しながら、レンズブロック１及び表示ブロック２に対しグリップフレーム３を広げて置いた状態で安定した自立状態を得ることができる。
【００２２】
（変形例１）
以上の実施形態においては、ロックピン７の両側の突出部９が、ロックピン７より更に突出して＋α長い突出長になっていたが、ロックピン７と突出部９の突出長が同一の長さであり、レンズブロック１及び表示ブロック２に対しグリップフレーム３を広げて置いた状態で、ロックピン７とロックピン７両側の突出部９による三点が設置面Ｌに対して触れてもよい。
【００２３】
（変形例２）
また、ロックピン７の突出長が突出部９の突出長より長い場合であっても、レンズブロック１及び表示ブロック２に対しグリップフレーム３を広げて自立させた際に、ロックピン７がバネ８による付勢に抗って表示ブロック２の内部方向に移動し、ロックピン７と突出部９の突出長が同一の長さとなり、ロックピン７とロックピン７両側の突出部９による三点が設置面Ｌに対して触れてもよい。
【００２４】
（変形例３）
以上の実施形態においては、カメラとしたが、本発明はこれに限定されるものではなく、カメラを備える携帯電話など他の電子機器であってもよい。
また、実施形態では、２軸ヒンジで回動する筐体の構成としたが、１軸ヒンジで回動する筐体の構成でよく、あるいはヒンジの無い筐体でもよい。
さらに、突出部の形状等も任意であり、その他、具体的な細部構造等についても適宜に変更可能であることは勿論である。
【００２５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
一側面にピン部品を備える筐体と、
前記ピン部品が係合する凹部を備え、前記筐体を部分的に覆い、且つ前記筐体に回転可能に結合される枠体と、から構成される筐体構造であって、
前記ピン部品は、前記筐体の当該ピン部品を備える端面から第１の突出長突出し、
前記ピン部品が前記凹部に係合することにより、当該筐体と前記枠体が固定状態に保持され、
前記筐体は、前記ピン部品を備える端面の当該ピン部品の両側に位置し、且つ当該筐体の前記ピン部品を備える端面に対して第２の突出長突出する突出部を備えることを特徴とする筐体構造。
＜請求項２＞
前記ピン部品は、前記筐体の当該ピン部品を備える端面から突出する方向に、付勢部品で付勢され、当該付勢部品による付勢により前記筐体の当該ピン部品を備える端面に対して前記第１の突出長突出していることを特徴とする請求項１に記載の筐体構造。
＜請求項３＞
前記ピン部品は、前記筐体の当該ピン部品を備える端面の中央に備えられていることを特徴とする請求項１または２に記載の筐体構造。
＜請求項４＞
前記第２の突出長は前記第１の突出長よりも長く、
前記筐体と前記枠体が開かれた状態で、前記枠体と、前記筐体の前記ピン部品を備える端面側が、当該筐体外部の平面上に接する様に設置した際、前記枠体と、前記筐体の前記ピン部品の両側の前記突出部とが、前記平面上に接触して自立状態になることを特徴とする請求項１から３のいずれか一項に記載の筐体構造。
＜請求項５＞
前記第２の突出長と前記第１の突出長は同一の長さであり、
前記筐体と前記枠体が開かれた状態で、前記枠体と、前記筐体の前記ピン部品を備える端面側が、当該筐体外部の平面上に接する様に設置した際、前記枠体と、前記ピン部品と、前記筐体の前記ピン部品の両側の前記突出部とが、前記平面上に接触して自立状態になることを特徴とする請求項１から３のいずれか一項に記載の筐体構造。
＜請求項６＞
前記付勢部品はバネであり、
前記第１の突出長は前記第２の突出長よりも長く、
前記筐体と前記枠体が開かれた状態で、前記枠体と、前記筐体の前記ピン部品を備える端面側が、当該筐体外部の平面上に接する様に設置した際、前記ピン部品は、前記バネによる付勢に抗って前記筐体の内部方向に移動し、前記第１の突出長は前記第２の突出長と同一の長さとなり、前記枠体と、前記ピン部品と、前記筐体の前記ピン部品の両側の前記突出部とが、前記平面上に接触して自立状態になることを特徴とする請求項１から３のいずれか一項に記載の筐体構造。
＜請求項７＞
前記筐体は、第１のブロックと第２のブロックを備え、
前記第２のブロックは、前記第１のブロックに回転可能に結合され、
前記枠体は、前記第１のブロック及び前記第２のブロックを部分的に覆い、且つ前記第１のブロックに回転可能に結合されることを特徴とする請求項１から６のいずれか一項に記載の筐体構造。
＜請求項８＞
前記第１のブロックは撮像部を備え、
前記第２のブロックは表示部を備えることを特徴とする請求項７に記載の筐体構造。
＜請求項９＞
請求項１から６に記載の筐体構造を備えることを特徴とする電子機器。
＜請求項１０＞
請求項８に記載の筐体構造を備えることを特徴とする撮像装置。
【符号の説明】
【００２６】
１  第１のブロック（筐体）
２  第２のブロック（筐体）
３  グリップフレーム（枠体）
４  撮影レンズ（撮像部）
５  表示部
６  固定部品
６ａ  凹部
７  ロックピン（ピン部品）
８  バネ（付勢部品）
９  突出部
１１  第１ヒンジ軸
１２  第２ヒンジ軸
【図１】
2017097037.tif 000003
【図２】
2017097037.tif 000004
【図３】
2017097037.tif 000005
【図４】
2017097037.tif 000006
【図５】
2017097037.tif 000007